(57)【要約】  本開示は、送信機を備えるユーザ機器（ＵＥ）に関する。送信機は、チャネルを介して基地局に信号を送信する。信号は、チャネルの第１のチャネル品質を示す初期チャネル品質情報に基づいて送信される。ＵＥの受信機は、信号を送信するために使用されたチャネルの第２のチャネル品質を示す伝送品質情報を受信する。ＵＥの処理回路は、初期チャネル品質情報と伝送品質情報とに基づいて伝送品質を推定する。伝送品質は、チャネルを介した信号の送信が成功したか否かを示す。
2022501849.tif 000002
【特許請求の範囲】
【請求項１】
動作中、チャネルを介して基地局に信号を送信する送信機であって、前記信号は、前記チャネルの第１のチャネル品質を示す初期チャネル品質情報に基づいて送信される、送信機と、
動作中、前記信号を送信するために使用された前記チャネルの第２のチャネル品質を示す伝送品質情報を受信する受信機と、
動作中、前記初期チャネル品質情報と前記伝送品質情報とに基づいて伝送品質を推定する処理回路であって、前記伝送品質は、前記チャネルを介した前記信号の送信が成功したか否かを示す、処理回路と、
を備えるユーザ機器。
【請求項２】
前記伝送品質情報は、送信された前記信号の少なくとも一部分を受信すると前記基地局によって決定され、
オプションとして、送信された前記信号の受信された前記少なくとも一部分は、前記信号全体よりも短い、
請求項１に記載のユーザ機器。
【請求項３】
前記伝送品質情報は、参照信号に基づいて前記基地局によって決定され、
オプションとして、前記参照信号は、送信された前記信号の最初のＮシンボル内に含まれる前方参照信号であり、Ｎは１以上の整数であり、
オプションとして、送信された前記信号の最初のＮシンボルは、少なくとも１つの前方参照信号及び少なくとも１つのデータ信号を含み、
オプションとして、送信された前記信号の最初のＮシンボルは、前方参照信号のみを含み、
オプションとして、前記伝送品質情報は、送信された前記信号の一部分のみに基づいて前記基地局によって決定され、
オプションとして、前記伝送品質情報は、少なくとも１つの前方参照信号のみに基づいて前記基地局によって決定される、
請求項１又は２に記載のユーザ機器。
【請求項４】
前記処理回路は、動作中、前記伝送品質を使用して、閾値に基づいて前記送信が成功したか否かを推定し、
オプションとして、推定された前記伝送品質が、前記信号の送信が成功しなかったことを示す場合、前記処理回路は、動作中、前記信号の送信について否定的な結果を決定し、
オプションとして、推定された前記伝送品質が、前記信号の送信が成功したことを示す場合、前記処理回路は、動作中、前記信号の送信について肯定的な結果を決定する、
請求項１乃至３のうちのいずれか１項に記載のユーザ機器。
【請求項５】
前記処理回路が、前記チャネルを介した前記信号の送信が成功しなかったと推定した後、
前記送信機は、動作中、前記伝送品質情報に基づいて信号送信を実行し、
オプションとして、前記伝送品質情報を受信すると、前記送信機は、動作中、前記信号の再送を実行し、
オプションとして、前記伝送品質情報を受信すると、前記送信機は、動作中、前記信号の繰り返しを実行する、
請求項１乃至４のうちのいずれか１項に記載のユーザ機器。
【請求項６】
前記受信機が、動作中、前記信号の少なくとも一部分を再送することを求める再送要求を受信した場合、前記処理回路は、動作中、前記信号の送信が成功しなかったと判定し、
オプションとして、送信された前記信号に関連付けられている再送タイマが満了すると、前記処理回路は、動作中、前記信号の送信が成功したと判定し、
オプションとして、前記基地局に前記信号を送信すると、前記処理回路は、動作中、前記再送タイマを開始する、
請求項１乃至５のうちのいずれか１項に記載のユーザ機器。
【請求項７】
前記受信機は、動作中、前記チャネルを介した前記信号の再送のためのグラントを受信し、
オプションとして、前記グラントを受信すると、前記送信機は、動作中、前記信号の再送を実行し、
オプションとして、前記再送のためのグラントは、第３のチャネル品質情報を示し、
オプションとして、前記第３のチャネル品質情報を受信すると、前記送信機は、動作中、前記信号の再送を実行する、
請求項１乃至６のうちのいずれか１項に記載のユーザ機器。
【請求項８】
前記処理回路が、前記チャネルを介した前記信号の送信が成功したと推定した場合、
前記処理回路は、動作中、前記ユーザ機器の送信バッファから前記信号を削除し、且つ／又は、
前記処理回路は、動作中、前記信号の送信繰り返しを中止し、
オプションとして、前記処理回路は、動作中、送信された前記信号に関連付けられている再送タイマを停止する、
請求項１乃至４のうちのいずれか１項に記載のユーザ機器。
【請求項９】
前記初期チャネル品質情報は、変調方式及び／又は符号レートを含む伝送パラメータのうちの少なくとも１つを示し、
オプションとして、前記初期チャネル品質情報は、変調・符号化方式（ＭＣＳ）のインデックスであり、
オプションとして、前記伝送品質情報は、変調方式、符号レート、ＭＣＳのインデックス、及び／又はチャネル品質指標を含む伝送パラメータのうちの少なくとも１つを示し、
オプションとして、前記処理回路は、動作中、前記チャネル品質指標から前記ＭＣＳのインデックスを決定する、
請求項１乃至８のうちのいずれか１項に記載のユーザ機器。
【請求項１０】
動作中、ユーザ機器からチャネルを介して信号の少なくとも一部分を受信する受信機であって、前記信号は、前記チャネルの第１のチャネル品質を示す初期チャネル品質情報に基づいて送信される、受信機と、
動作中、受信された前記信号の処理中に、前記信号を受信するために使用された前記チャネルの第２のチャネル品質を示す伝送品質情報を決定する処理回路と、
前記伝送品質情報を決定すると、動作中、前記伝送品質情報を送信する送信機と、
を備える基地局。
【請求項１１】
前記処理回路は、動作中、参照信号に基づいて前記伝送品質情報を決定し、
オプションとして、前記参照信号は、受信された前記信号の最初のＮシンボル内に含まれる前方参照信号であり、Ｎは１以上の整数であり、
オプションとして、受信された前記信号の最初のＮシンボルは、少なくとも１つの前方参照信号及び少なくとも１つのデータ信号を含み、
オプションとして、受信された前記信号の最初のＮシンボルは、前方参照信号のみを含み、
オプションとして、前記伝送品質情報は、受信された前記信号の一部分のみに基づいて決定され、
オプションとして、前記伝送品質情報は、少なくとも１つの前方参照信号のみに基づいて決定される、
請求項１０に記載の基地局。
【請求項１２】
再送タイマが満了すると、前記受信機は、動作中、前記信号の再送又は繰り返しを対象として前記チャネルをモニタし、
オプションとして、前記信号の少なくとも一部分を受信すると、前記処理回路は、動作中、前記再送タイマを開始する、
請求項１０又は１１に記載の基地局。
【請求項１３】
前記処理回路は、動作中、受信された前記信号を処理した後、前記チャネルを介した前記信号の受信が成功したか否かを判定し、
オプションとして、前記処理回路は、前記信号の受信が成功しなかったと判定した場合、前記信号の少なくとも一部分を求める再送要求を送信するように前記送信機を制御する、
請求項１０乃至１２のうちのいずれか１項に記載の基地局。
【請求項１４】
ユーザ機器が、チャネルを介して基地局に信号を送信するステップであって、前記信号は、前記チャネルの第１のチャネル品質を示す初期チャネル品質情報に基づいて送信される、ステップと、
前記ユーザ機器が、前記信号を送信するために使用された前記チャネルの第２のチャネル品質を示す伝送品質情報を受信するステップと、
前記ユーザ機器が、前記初期チャネル品質情報と前記伝送品質情報とに基づいて伝送品質を推定するステップであって、前記伝送品質は、前記チャネルを介した前記信号の送信が成功したか否かを示す、ステップと、
を含む方法。
【請求項１５】
基地局が、ユーザ機器からチャネルを介して信号の少なくとも一部分を受信するステップであって、前記信号は、前記チャネルの第１のチャネル品質を示す初期チャネル品質情報に基づいて送信される、ステップと、
前記基地局が、受信された前記信号の処理中に、前記信号を受信するために使用された前記チャネルの第２のチャネル品質を示す伝送品質情報を決定するステップと、
前記基地局が、前記伝送品質情報を決定すると、前記伝送品質情報を送信するステップと、
を含む方法。
【発明の詳細な説明】
【技術分野】
【０００１】
本開示は、３ＧＰＰ通信システム等の通信システムにおける方法、デバイス、及び製品に関する。
【背景技術】
【０００２】
現在、第３世代パートナーシッププロジェクト（３ＧＰＰ：the 3rd Generation Partnership Project）は、第５世代（５Ｇ）とも称される次世代セルラー技術についての技術仕様に取り組んでいる。
【０００３】
１つの目的は、少なくとも、高度モバイルブロードバンド（ｅＭＢＢ：enhanced mobile broadband）、超高信頼・低遅延通信（ＵＲＬＬＣ：ultra-reliable low-latency communications）、大規模マシンタイプ通信（ｍＭＴＣ：massive machine type communication）を含む、全ての利用シナリオ、要件、及び配置シナリオに対処する単一の技術的枠組みを提供することである（例えば、参照により本明細書に組み込まれるＴＲ  ３８．９１３  バージョン１５．０．０の第６節を参照されたい）。例えば、ｅＭＢＢの配置シナリオには、屋内のホットスポット、密集都市部、郊外、都市部、及び高速が含まれ得る。ＵＲＬＬＣの配置シナリオには、産業制御システム、モバイル健康管理（遠隔モニタリング、診断、及び治療）、車両のリアルタイム制御、スマートグリッドの広域監視・制御システムが含まれ得る。ｍＭＴＣの配置シナリオには、スマートウェアラブルやセンサネットワーク等、遅延の影響が小さいデータ伝送による多数の装置を使用するシナリオが含まれ得る。ｅＭＢＢサービス及びＵＲＬＬＣサービスは、両方とも非常に広い帯域幅を要求するという点で類似しているが、ＵＲＬＬＣサービスが好ましくは超低遅延を必要とし得るという点で異なる。
【０００４】
第２の目的は、前方互換性を達成することである。ロングタームエボリューション（ＬＴＥ、ＬＴＥ−Ａ）セルラーシステムに対する後方互換性は必要とされず、これは、完全に新しいシステム設計及び／又は新しい特徴の導入を容易にする。
【発明の概要】
【０００５】
非限定的且つ例示的な一実施形態は、データを伝送するための改善された手順を提供することを容易にする。
【０００６】
１つの概括的な第１の例において、ここに開示されている技術は、次の記載に従った送信機と受信機と処理回路とを備えるユーザ機器を特徴とする。前記送信機は、チャネルを介して基地局に信号を送信する。前記信号は、前記チャネルの第１のチャネル品質を示す初期チャネル品質情報に基づいて送信される。前記受信機は、前記信号を送信するために使用された前記チャネルの第２のチャネル品質を示す伝送品質情報を受信する。前記処理回路は、前記初期チャネル品質情報と前記伝送品質情報とに基づいて伝送品質を推定する。前記伝送品質は、前記チャネルを介した前記信号の送信が成功したか否かを示す。
【０００７】
１つの概括的な第１の例において、ここに開示されている技術は、ユーザ機器によって実行される次のステップを含む方法を特徴とする。ステップは、
チャネルを介して基地局に信号を送信するステップであって、前記信号は、前記チャネルの第１のチャネル品質を示す初期チャネル品質情報に基づいて送信される、ステップと、
前記信号を送信するために使用された前記チャネルの第２のチャネル品質を示す伝送品質情報を受信するステップと、
前記初期チャネル品質情報と前記伝送品質情報とに基づいて伝送品質を推定するステップであって、前記伝送品質は、前記チャネルを介した前記信号の送信が成功したか否かを示す、ステップと、
を含む。
【０００８】
１つの概括的な第１の例において、ここに開示されている技術は、次の記載に従った受信機と処理回路と送信機とを備えるサービング基地局を特徴とする。前記受信機は、ユーザ機器からチャネルを介して信号の少なくとも一部分を受信する。前記信号は、前記チャネルの第１のチャネル品質を示す初期チャネル品質情報に基づいて送信される。前記処理回路は、受信された前記信号の処理中に、前記信号を受信するために使用された前記チャネルの第２のチャネル品質を示す伝送品質情報を決定する。前記伝送品質情報を決定すると、前記送信機は、前記伝送品質情報を送信する。
【０００９】
１つの概括的な第１の例において、ここに開示されている技術は、基地局によって実行される次のステップを含む方法を特徴とする。ステップは、
ユーザ機器からチャネルを介して信号の少なくとも一部分を受信するステップであって、前記信号は、前記チャネルの第１のチャネル品質を示す初期チャネル品質情報に基づいて送信される、ステップと、
受信された前記信号の処理中に、前記信号を受信するために使用された前記チャネルの第２のチャネル品質を示す伝送品質情報を決定するステップと、
前記伝送品質情報を決定すると、前記伝送品質情報を送信するステップと、
を含む。
【００１０】
なお、一般的な実施形態又は特定の実施形態は、システム、方法、集積回路、コンピュータプログラム、記憶媒体、又はこれらの任意の選択的な組み合わせとして、実現可能であることに留意されたい。
【００１１】
開示されている実施形態の更なる恩恵及び利点は、本明細書及び図面から明らかになるであろう。これらの恩恵及び／又は利点は、本明細書及び図面の様々な実施形態及び特徴によって個別に得ることができる。ただし、このような恩恵及び／又は利点のうちの１つ以上を得るために、これらの特徴全てを設ける必要はない。
【図面の簡単な説明】
【００１２】
以下において、例示的な実施形態が、添付の図面を参照して、より詳細に説明される。
【図１】３ＧＰＰ  ＮＲシステムについての例示的なアーキテクチャを示す図。
【図２】ＬＴＥ  ｅＮＢ、ｇＮＢ、及びＵＥについての例示的なユーザ及び制御プレーンアーキテクチャを示す図。
【図３】前方復調用参照信号（ＤＭＲＳ）設定タイプの概略図。
【図４】前方復調用参照信号（ＤＭＲＳ）設定タイプの概略図。
【図５】前方復調用参照信号（ＤＭＲＳ）設定タイプの概略図。
【図６】前方復調用参照信号（ＤＭＲＳ）設定タイプの概略図。
【図７】ＵＥ及びｇＮＢの例示的な簡略化された構成を示す図。
【図８】ＵＥと基地局との間の例示的な信号通信を示す図。
【図９】一実施形態の例示的な実施態様に従ったＵＥの挙動についてのフロー図。
【図１０】一実施形態の例示的な実施態様に従ったＵＥの構成を示す図。
【図１１】一実施形態の例示的な実施態様に従った基地局の挙動についてのフロー図。
【図１２】例示的な実施態様に従った前方参照信号設定の概略図。
【図１３】別の例示的な実施態様に従った前方参照信号設定の別の概略図。
【図１４】別の例示的な実施態様に従ったＵＥと基地局との間の別の例示的な信号通信を示す図。
【図１５】別の例示的な実施態様に従ったＵＥと基地局との間の別の例示的な信号通信を示す図。
【図１６】別の例示的な実施態様に従ったＵＥの挙動についてのフロー図。
【図１７】別の例示的な実施態様に従ったＵＥと基地局との間の別の例示的な信号通信を示す図。
【図１８】別の例示的な実施態様に従った基地局の挙動についてのフロー図。
【図１９】別の例示的な実施態様に従ったＵＥと基地局との間の別の例示的な信号通信を示す図。
【図２０】別の例示的な実施態様に従ったＵＥと基地局との間の別の例示的な信号通信を示す図。
【図２１】別の例示的な実施態様に従ったＵＥと基地局との間の別の例示的な信号通信を示す図。
【発明を実施するための形態】
【００１３】
（５Ｇ  ＮＲシステムアーキテクチャ及びプロトコルスタック）
背景技術セクションにおいて提示されたように、３ＧＰＰは、１００ＧＨｚまでの周波数範囲で動作する新しい無線アクセス技術（ＮＲ）の開発を含む、単に５Ｇと称される第５世代セルラー技術についての次のリリースに取り組んでいる。３ＧＰＰは、緊急の市場ニーズ及びより長期的な要件の両方を適時に満たすＮＲシステムを成功裏に標準化するために必要な技術要素を特定して開発しなければならない。これを達成するために、無線インタフェース及び無線ネットワークアーキテクチャの発展が、検討項目「New Radio Access Technology」において考慮されている。結果及び合意事項は、参照によりその全体が本明細書に組み込まれる技術報告書ＴＲ３８．８０４  ｖ１４．０．０に収集されている。
【００１４】
とりわけ、システムアーキテクチャ全体は、ｇＮＢを含むＮＧ−ＲＡＮ（次世代−無線アクセスネットワーク）を想定しており、これは、ＵＥに向かうＮＧ−無線アクセスユーザプレーン（ＳＤＡＰ／ＰＤＣＰ／ＲＬＣ／ＭＡＣ／ＰＨＹ）及び制御プレーン（ＲＲＣ）プロトコル終端を提供する。ｇＮＢは、Ｘｎインタフェースによって互いに相互接続される。ｇＮＢはまた、次世代（ＮＧ）インタフェースによって、ＮＧＣ（次世代コア）に、より具体的には、ＮＧ−Ｃインタフェースによって、ＡＭＦ（アクセス及びモビリティ管理機能）（例えば、ＡＭＦを実行する特定のコアエンティティ）に、また、ＮＧ−Ｕインタフェースによって、ＵＰＦ（ユーザプレーン機能）（例えば、ＵＰＦを実行する特定のコアエンティティ）に接続される。ＮＧ−ＲＡＮアーキテクチャは、図１に示されている（例えば、参照により本明細書に組み込まれる３ＧＰＰ  ＴＳ３８．３００  ｖ１５．２．０、第４節を参照されたい）。
【００１５】
様々な異なる配置シナリオがサポートされ得る（例えば、参照により本明細書に組み込まれる３ＧＰＰ  ＴＲ３８．８０１  ｖ１４．０．０を参照されたい）。例えば、非集中配置シナリオ（例えば、ＴＲ３８．８０１の第５．２節を参照されたい；集中配置は第５．４節に示されている）がそこに提示されており、そこでは、５Ｇ  ＮＲをサポートする基地局を配置することができる。図２は、例示的な非集中配置シナリオを示しており（例えば、ＴＲ３８．８０１の図５．２．−１を参照されたい）、ｇＮＢ及びＬＴＥ  ｅＮＢの両方に接続されるユーザ機器（ＵＥ）とＬＴＥ  ｅＮＢとを追加的に示している。ＮＲ  ５Ｇのための新しいｅＮＢは、ｇＮＢと例示的に称されることがある。ＬＴＥ  ｅＮＢは、ＥＰＣ（発展型パケットコア）及びＮＧＣ（次世代コア）に対する接続をサポートする、ｅＮＢの発展形である。
【００１６】
ＮＲについてのユーザプレーンプロトコルスタック（参照により本明細書に組み込まれる３ＧＰＰ  ＴＳ３８．３００  ｖ１５．２．０、第４．４．１節を参照されたい）は、ＰＤＣＰ（パケットデータコンバージェンスプロトコル）、ＲＬＣ（無線リンク制御）及びＭＡＣ（媒体アクセス制御）サブレイヤを含み、これらは、ネットワーク側ではｇＮＢにおいて終端する。更に、新しいアクセス層（ＡＳ）サブレイヤ（ＳＤＡＰ（サービスデータ適応プロトコル））が、ＰＤＣＰの上位に導入される（例えば、参照により本明細書に組み込まれる３ＧＰＰ  ＴＳ３８．３００  バージョン１５．２．０の第６．５節を参照されたい）。ＮＲについての制御プレーンプロトコルスタックに関する詳細については、例えば、ＴＳ３８．３００、第４．４．２節を参照されたい。レイヤ２機能の概要は、ＴＳ３８．３００の第６節において与えられている。ＰＤＣＰ、ＲＬＣ及びＭＡＣサブレイヤの機能は、ＴＳ３８．３００の第６．４節、第６．３節、及び第６．２節においてそれぞれ挙げられている。ＲＲＣレイヤの機能は、ＴＳ３８．３００の第７節において挙げられている。ＴＳ３８．３００の上記の節は、参照により本明細書に組み込まれる。
【００１７】
５Ｇシステムに対して例示的に想定されている新しいＮＲレイヤは、ＬＴＥ（−Ａ）通信システムにおいて現在使用されているユーザプレーンレイヤ構成に基づき得る。
【００１８】
ＮＲについてのユースケース／配置シナリオは、高度モバイルブロードバンド（ｅＭＢＢ）、超高信頼・低遅延通信（ＵＲＬＬＣ）、大規模マシンタイプ通信（ｍＭＴＣ）を含むことができ、これらは、データレート、遅延、及びカバレッジに関して多様な要件を有する。例えば、ｅＭＢＢは、ＩＭＴ−Ａｄｖａｎｃｅｄによって提供されるものの３倍のオーダーのピークデータレート（ダウンリンクでは２０Ｇｂｐｓ、アップリンクでは１０Ｇｂｐｓ）及びユーザ側で実感されるデータレートをサポートすることが期待される。一方、ＵＲＬＬＣの場合、超低遅延（ユーザプレーン遅延についてＵＬ及びＤＬでそれぞれ０．５ｍｓ）及び高信頼性（１ｍｓ以内で１−１０−５）というより厳しい要件が課される。最後に、ｍＭＴＣは、好ましくは、高接続密度（都市環境では１ｋｍ２あたり１００００００個のデバイス）、過酷な環境における広いカバレッジ、及び低コストデバイスのための極めて長寿命（１５年）のバッテリを必要とし得る。
【００１９】
したがって、あるユースケースに適したＯＦＤＭニューメロロジー（例えば、サブキャリア間隔、ＯＦＤＭシンボル期間、サイクリックプレフィックス（ＣＰ）期間、スケジューリング間隔あたりのシンボル数）は、別のユースケースではうまく機能しない可能性がある。例えば、低遅延サービスは、好ましくは、ｍＭＴＣサービスよりも短いシンボル期間（したがって、大きなサブキャリア間隔）及び／又は少ないスケジューリング間隔あたりのシンボル（ＴＴＩとしても知られている）を必要とし得る。更に、大きなチャネル遅延拡散を伴う配置シナリオは、好ましくは、短い遅延拡散を伴うシナリオよりも長いＣＰ期間を必要とし得る。同様のＣＰオーバーヘッドを保つために、サブキャリア間隔は、それに応じて最適化されるべきである。詳細な情報については、例えば、参照により本明細書に組み込まれるＴＳ３８．２２１、第４．４節を参照されたい。
【００２０】
シンボル期間Ｔｕとサブキャリア間隔Δｆとは、Δｆ＝１／Ｔｕという式を通じて直接的に関連している。ＬＴＥシステムと同様に、用語「リソースエレメント」は、１ＯＦＤＭ／ＳＣ−ＦＤＭＡシンボルの長さに対して１サブキャリアで構成される最小のリソース単位を表すために使用され得る。
【００２１】
新しい無線システム５Ｇ−ＮＲでは、各ニューメロロジー及びキャリアについて、サブキャリアとＯＦＤＭシンボルとからなるリソースグリッドが、アップリンク及びダウンリンクに対してそれぞれ定義される。リソースグリッドにおける各エレメントは、リソースエレメントと称され、周波数領域における周波数インデックス及び時間領域におけるシンボル位置に基づいて特定される。参照により本明細書に組み込まれる３ＧＰＰ  ＴＳ３８．２１１  ｖ１５．２．０から明らかなように、いくつかの定義がすでに実現されている。
【００２２】
（スケジューリング）
概して、新しい無線システム５Ｇ−ＮＲは、本質的にスケジューリング型システムであり、これは、スケジューラが、いつ、どのデバイスに、時間リソース、周波数リソース、及び空間リソースが割当てられるべきか、及び、どの伝送パラメータ（例えば、データレート）を使用するかを決定することを意味する。スケジューリングは、動的であることもあるし、又は、準静的であることもある。
【００２３】
新しい無線システム５Ｇ−ＮＲにおける原理のうちの１つは、時間−周波数リソースがユーザ間で動的に共有される共有チャネル伝送である。スケジューラは、ｇＮＢにおけるＭＡＣレイヤの一部であり（また、別個のエンティティとみなされてもよい）、周波数領域におけるいわゆるリソースブロック並びに時間領域におけるＯＦＤＭシンボル及びスロットに関してアップリンクリソース及びダウンリンクリソースの割当てを制御する。
【００２４】
スケジューラの１つの動作は動的スケジューリングであり、ここで、ｇＮＢは、一般にはスロットごとに１回、スケジューリング決定を行い、選択されたデバイスのセットにスケジューリング情報を送信する。
【００２５】
例えば、スケジューリング情報は、どのデバイスが送信及び受信することになるのかを決定する。スケジューリング決定は頻繁に行われるので、例えば、利用可能なリソースを効率的に利用することによって、トラフィック需要及び無線チャネル品質の急速な変動に追従することができる。動的スケジューリングは、フレキシブルであり、トラフィック挙動の急速な変動に適応することができるが、関連する制御シグナリングを必要とする。
【００２６】
更に、新しい無線システム５Ｇ−ＮＲは、動的グラントに依拠しない伝送方式をサポートする。動的グラントのないこのような伝送は、準静的なスケジューリング又は設定されたグラントによる伝送とも称される。動的グラントを用いないスケジューリングは、伝送パラメータが、動的にではなく、デバイスに事前に提供されることを意味する。参照により本明細書に組み込まれる３ＧＰＰ  ＴＳ３８．２１４  ｖ１５．２．０から明らかなように、提供されるいくつかの定義がすでに実現されている。
【００２７】
リソース割当てが上位レイヤパラメータによって準静的に設定される場合、上位レイヤパラメータが伝送において適用される（例えば、３ＧＰＰ  ＴＳ３８．２１４  ｖ１５．２．０の第６．１．２．３節において詳細に論じられているので、これを参照されたい）。
【００２８】
動的グラントなしの送信／受信の可能性は、制御シグナリングオーバーヘッドを低減することができる。参照により本明細書に組み込まれる３ＧＰＰ  ＴＳ３８．２２１  ｖ１５．２．０から明らかなように、いくつかの定義がすでに実現されている。
【００２９】
動的スケジューリングを伴わない送信及び受信についての詳細は、ダウンリンクとアップリンクとの間で異なり得る（例えば、３ＧＰＰ  ＴＳ３８．２２１  ｖ１５．２．０の第５．８節を参照されたい）。
【００３０】
例えば、ダウンリンクでは、ＬＴＥにおけるセミパーシステントスケジューリング（ＳＰＳ）と同様の方式が用いられる。準静的なスケジューリングパターンが、デバイスに事前にシグナリングされる。使用する時間−周波数リソース及び符号化・変調方式（ＭＣＳ）等のパラメータも含むＬ１／Ｌ２制御シグナリングによって有効化されると、デバイスは、事前設定されたパターンに従ってダウンリンクデータ送信を受信する。
【００３１】
ダウンリンクについての実施態様に従うと、デバイスが、ＲＲＣシグナリングを使用してデータ送信の周期性として構成される場合に、セミパーシステントスケジューリングがサポートされる。セミパーシステントスケジューリングの有効化は、動的スケジューリングと同様に物理ダウンリンク制御チャネル（ＰＤＣＣＨ）を使用して行われるが、セル無線ネットワーク一時識別子（Ｃ−ＲＮＴＩ）の代わりに、設定されたスケジューリング無線ネットワーク一時識別子（ＣＳ−ＲＮＴＩ）を使用して行われる。ＰＤＣＣＨはまた、動的スケジューリングと同様に必要な時間−周波数リソース及び他のパラメータについての必要な情報も運ぶ。
【００３２】
ハイブリッドＡＲＱ（ＨＡＲＱ）プロセス番号は、ダウンリンクデータ送信が開始する時間から、式に従って導出される。セミパーシステントスケジューリングが有効化されると、デバイスは、送信を有効化するＰＤＣＣＨにおいて示されたセンテンスパラメータ（sentences parameters）を使用して、ＲＲＣで設定された周期に従って、ダウンリンクデータ送信を周期的に受信する。したがって、制御シグナリングは一度使用されるだけであり、オーバーヘッドが節減される。
【００３３】
セミパーシステントスケジューリングを有効化した後、デバイスは、アップリンク及びダウンリンクスケジューリングコメントを対象に、ＰＤＣＣＨ候補のセットをモニタし続ける。これは、表面上の永続割当てが十分でない大量のデータの条件付き送信がある場合に有用である。これはまた、動的にスケジューリングされるＨＡＲＱ再送を処理するためにも用いられる。
【００３４】
アップリンクにおける設定されたグラントでは、どのように方式を有効化するかが異なるタイプ１及びタイプ２と称されるわずかに異なる方式が存在する。タイプ１では、ＲＲＣは、使用する時間−周波数リソース及びＭＣＳを含む全てのパラメータ（パラメータはＲＲＣによって提供される）を設定し、パラメータに従ってアップリンク送信を有効化する。一方、タイプ２は、ＲＲＣがスケジューリングパターンを時間的に設定するＳＰＳスケジューリングに類似している。有効化は、（ＲＲＣシグナリングを介して提供される周期を除いて）必要な時間パラメータを含むＬ１／Ｌ２シグナリング（ダウンリンクの場合と同様）を用いて行われる。両方の方式の利点は同様である。すなわち、例えば、制御シグナリングオーバーヘッドを調べて、アップリンクデータ送信の前の遅延をある程度低減し、データ送信の前にスケジューリング要求グラントサイクルが必要とされない。
【００３５】
一実施態様に従うと、タイプ１は、ＲＲＣシグナリングを用いて、周期、時間リソース、及び周波数リソースを含む全ての伝送パラメータを、可能なアップリンク送信のできるだけ低い変調・符号化方式で設定する。デバイスは、ＲＲＣ設定を受信すると、周期及びオフセットによって与えられる時間及び位置において、送信に、設定されたグラントを使用し始めることができる。
【００３６】
更なる実施態様に従うと、タイプ２は、ダウンリンクセミパーシステントスケジューリングに類似している。ＲＲＣシグナリングが、周期を設定するために用いられ、そのため、伝送パラメータが、ＰＤＣＣＨを使用して有効化の一部として提供される。デバイスは、有効化を受信すると、例えばバッファにデータがある場合、事前設定された周期に従って送信を行う。
【００３７】
更なる実施態様に従うと、デバイスは、アップリンクにおいてＭＡＣ制御エレメントを送信することによって、設定されたフォントタイプＩＩの有効化／無効化を受信することを確認応答した再送を要求する。
【００３８】
アップリンクについての実施態様に従うと、動的グラントを伴わない伝送のための２つのシートであって、それらが有効化されるレースにおいて異なる、２つのシートがサポートされる。
【００３９】
（制御シグナリング／ＰＤＣＣＨ／ＤＣＩ／サーチスペース）
ダウンリンク及びアップリンクトランスポートチャネルの伝送をサポートするために、関連する制御シグナリングが定義され得る。この制御シグナリングは、しばしば、Ｌ１／Ｌ２制御シグナリングと称され、対応する情報が、部分的に物理レイヤ（レイヤ１）から生じ、部分的にＭＡＣ（レイヤ２）から生じることを示す。
【００４０】
以下において、スケジューリンググラント及び割当てを含むダウンリンク制御シグナリングについての基本原理が説明される。
【００４１】
新しい無線システム５Ｇ−ＮＲでは、単一の制御チャネルすなわち物理ダウンリンク制御チャネル（ＰＤＣＣＨ）しか存在しない。高レベルでは、５Ｇ−ＮＲにおけるＰＤＣＣＨ処理の原理は、ＬＴＥと同様である。例えば、５Ｇ  ＮＲにおけるＤＣＩ（ダウンリンク制御情報）の主な目的は、ＬＴＥにおけるＤＣＩと同じであり、すなわち、ダウンリンクデータチャネル（例えば、ＰＤＳＣＨ）又はアップリンクデータチャネル（例えば、ＰＵＳＣＨ）をスケジューリングする特別な情報のセットである。５Ｇ  ＮＲでは、参照により本明細書に組み込まれるＴＳ３８．２１２  ｖ１５．２．０の第７．３．１節から明らかなように、複数の異なるＤＣＩフォーマットがすでに定義されている。以下の表は、そこから得られたものである。
【表１】
2022501849.tif 000003
【００４２】
異なるＤＣＩフォーマットに関するより詳細な情報は、引用されたＴＳ３８．２１２  ｖ１５．２．０から得ることができる。
【００４３】
（ＬＴＥ  ＤＭＲＳ設定）
上述した３ＧＰＰ  ＮＲにおけるＤＭＲＳ設定は、ＬＴＥとは異なり、ＬＴＥでは、Ｗａｌｓｈ−Ｈａｄａｍａｒｄ直交カバーコードを用いた、周波数及び時間における符号分割多重を用いて、合計８つのまでの直交ポート／レイヤをサポートするための、主に、ダウンリンクにおける単一の設定が存在する。ＬＴＥにおけるこの設定及びＤＭＲＳ設定に関する更なる詳細は、参照により本明細書に組み込まれる「S. Sesia, I. Toufik and M, Baker, LTE: The UMTS Long Term Evolution, Second Edition」の第２９．１．１節で見つけることができる。
【００４４】
現在のＬＴＥにおけるレイヤ−ポートマッピングのテーブル（例えば、３ＧＰＰ  ＴＳ３６．２１２、Ｖ１４．３．０；Ｔａｂｌｅ  ５．３．３．１．５Ｃ−２を参照されたい）が、以下の表１に示されている。
【表２】
2022501849.tif 000004
【００４５】
ＬＴＥでは、ダウンリンク用の最大８個の直交ＤＭＲＳポートがサポートされ、これは、単一カテゴリの多重方式、すなわち、時間／周波数におけるＯＣＣを主に使用する。したがって、任意のポート組み合わせが、所与のシナリオについて性能に影響を及ぼすことなく、レイヤをマッピングするために使用され得る。更に、所与の数のレイヤについて、リソースの使用（ＤＭＲＳオーバーヘッド）は、任意のポート組み合わせに対して同じである。
【００４６】
更に、ＬＴＥは、ＭＵ−ＭＩＭＯに対する限定的なサポートを提供する。また、固定ＤＭＲＳ設定がサポートされる。したがって、追加のシグナリングは、動的設定のために必要とされない。
【００４７】
表１から分かるように、ＬＴＥにおけるレイヤ−ポートマッピングに対して許容される組み合わせは非常に限定されている。長さ４であるビットマップが、所与のユーザについてのレイヤ−ポートマッピングをシグナリングするために定義される。最小数のポート組み合わせが、レイヤ−ポートマッピングに対してサポートされ、これは、次の制限からもたらされている。最大２つのレイヤについて、マッピングのポートインデクシングは、連続しており、オーバーラップしていない。３〜８レイヤについて、インデクシングは、連続しており、オーバーラップしておらず、固定開始点としてのインデックス０から開始する。マッピングは、１つのポート組み合わせに制限される。
【００４８】
ＬＴＥの最新のリリースでは、透過（transparent）ＭＵ−ＭＩＭＯのみがサポートされている（非透過（non-transparent）ＭＵ−ＭＩＭＯはサポートされていない）。しかしながら、これは常にそうであるとは限らなかった。ＬＴＥ  Ｒｅｌ−８では、ＭＵ−ＭＩＭＯが、２つのＵＥまでの伝送をサポートするために初めて導入されたとき、非透過ＭＵ−ＭＩＭＯが、１ビット専用電力オフセットフィールドを有することで導入された。しかしながら、３つ以上のＵＥに対する非透過ＭＵ−ＭＩＭＯのサポートは、特にＬＴＥの後のリリースでは決して合意されなかった。シグナリングオーバーヘッドの増大という欠点が、それからもたらされる利点を上回らないように決定された。
【００４９】
（ＮＲについてのＤＭＲＳ要件）
第３世代パートナーシッププロジェクト新無線（３ＧＰＰ  ＮＲ）では、参照信号は、広範囲の要件及びユースケースを満たすように再設計されている。また、チャネル推定のために使用される復調用参照信号（ＤＭＲＳ）は、サイクリックプレフィックス直交周波数分割多重（ＣＰ−ＯＦＤＭ）波形を用いて、アップリンク及びダウンリンクの両方について均等な構成を有するように設計されている。前方ＤＭＲＳ（front-loaded DMRS）の２つの設定（直交ＤＭＲＳポートについて異なる多重方式を伴う）であって、各設定が１シンボルＤＭＲＳを使用するか又は２シンボルＤＭＲＳを使用するかのフレキシビリティを有する、２つの設定がサポートされることがすでに合意されている。
【００５０】
現在のＬＴＥでは、直交ＤＭＲＳポートについて単一カテゴリの多重方式を伴う固定設定が存在し、非透過ＭＵ−ＭＩＭＯに対するサポートはない。
【００５１】
しかしながら、３ＧＰＰ  ＮＲでは、他のＵＥに対して同時スケジューリングされたＤＭＲＳポートからのより多くの干渉の可能性のために、状況はより複雑である。加えて、異なるＤＭＲＳポート間の周波数分割多重（ＦＤＭ）のために、レートマッチングが必要である。これに基づいて、ＮＲにおいてＵＥ非透過ＭＵ−ＭＩＭＯをサポートすることが期待される。本開示において、本発明者は、ＤＭＲＳレイヤ−ポートマッピングテーブルに新しいフィールドを追加することによって、ＭＵ−ＭＩＭＯにおける同じＣＤＭグループ及び／又は異なるＣＤＭグループ内の同時スケジューリングされたＤＭＲＳポートに関する少なくとも一部の情報を示すためのフレームワークを提供する。
【００５２】
本開示は、ＮＲ技術に関する。リリース１５におけるＮＲアクセス技術に関する作業項目については、ＮＴＴドコモによる“３ＧＰＰ  ＴＳＧ  ＲＡＮ会合＃７５、ＲＰ−１７１４８５「Revised WID on New Radio Access Technology」、２０１７年６月５〜８日”を参照されたい。より具体的には、これは、ＣＰ−ＯＦＤＭ波形を用いたダウンリンク及びアップリンクの両方についての前方ＤＭＲＳの態様を扱っている。ＲＡＮ１  ＮＲ＃３からの議長の注釈（参照により本明細書に組み込まれるRAN 1 Chairman Notes: RAN１ NR Ad-Hoc#3）では、ＤＭＲＳに関連する全ての最新の合意事項が取り込まれ、本開示は、まだ議論されていない又は更なる議論のために残されている態様のうちのいくつかを扱う。本開示は、ＤＭＲＳレイヤ−ポートマッピングテーブルを使用することによって、同時スケジューリングされたＤＭＲＳポートに関連する少なくとも一部の情報をシグナリングするためのフレームワークを提供する。
【００５３】
前述したように、３ＧＰＰ  ＮＲでは、復調用参照信号（ＤＭＲＳ）は、ダウンリンク及びアップリンクの両方のために再設計されている。
【００５４】
２つの設定が、ＣＰ−ＯＦＤＭ波形を用いたダウンリンク及びアップリンクにおける前方ＤＭＲＳに対してサポートされ、このことが、図３〜図６に示されている。
【００５５】
図３〜図６に示されているように、前方参照信号は、１シンボルＤＭＲＳが使用される場合、ＴＴＩのシグナリングセクション（例えば、２シンボルからなるシグナリングセクション）のためのリソースに隣接する最初のデータシンボルのリソースに割当てられ、２シンボルＤＭＲＳが使用される場合、最初の２データシンボルのリソースに割当てられる。
【００５６】
図３〜図６の各々は、１４シンボル及び１２サブキャリアからなるスロットに対応する例示的なリソースグリッドを示している。これらの図の各々の左側の最初の２シンボルは、スロットのシグナリングセクションに対応する。物理ダウンリンク制御チャネル（ＰＤＣＣＨ）は、シグナリングセクションにおいてシグナリングされる。ＬＴＥでは、この例示的なリソースグリッドは、サブフレームの２つのスロットのうちの１つのスロットに対応する。しかしながら、これは、本開示を限定するものではない。なぜならば、サブフレームが１つのスロットに対応してもよいし、又は、３つ以上のスロットを含んでもよく、スロットが１４シンボル及び１２サブキャリアより多く又は少なく含んでもよいからである。
【００５７】
設定タイプ１に対応する第１の前方ＤＭＲＳ設定が、図３及び図４に示されている。この設定は、ＳＵ−ＭＩＭＯ（Single-User Multiple Input Multiple Output）又はＭＵ−ＭＩＭＯ（Multi-User Multiple Input Multiple Output）のために最大８つの直交ＤＭＲＳポートをサポートすることを目的としている。第１の設定は、図３に示されているように、１シンボルＤＭＲＳが使用される場合、最大４つの直交ＤＭＲＳポートをサポートする。具体的には、２つのｃｏｍｂと２つの巡回シフト（ＣＳ）とを組み合わせて、最大４つのコンポーネントセットを形成することができ、結果として生じるそれぞれのコンポーネントセットは、最大４つのＤＭＲＳポートにそれぞれ割当てられてよい。これらのコンポーネントセットは、本開示のコンテキストにおいて、ＣＤＭグループと称されることもある。
【００５８】
２シンボルＤＭＲＳが使用される場合、図４に示されているように、２つのｃｏｍｂと２つの巡回シフトとを、２つの時分割直交カバーコード（ＴＤ−ＯＣＣ）（具体的には、Ｗａｌｓｈ−Ｈａｄａｍａｒｄ  ＴＤ−ＯＣＣ（｛１，１｝及び｛１，−１｝）と組み合わせることができ、最大８つの直交ＤＭＲＳポートをサポートすることができる。ただし、２シンボルＤＭＲＳの場合、｛１，１｝及び｛１，−１｝の両方を使用せずに、最大４つのＤＭＲＳポートをスケジューリングすることもできるはずである。
【００５９】
設定タイプ２に対応する第２の前方ＤＭＲＳ設定が、図５及び図６に示されている。この設定は、ＳＵ−ＭＩＭＯ又はＭＵ−ＭＩＭＯのために最大１２個の直交ポートをサポートする。特に、周波数領域における隣接するＲＥ（リソースエレメント）にわたってそれぞれ適用される２つの（Ｗａｌｓｈ−Ｈａｄａｍａｒｄ）周波数分割直交カバーコード（ＦＤ−ＯＣＣ）は、６つのコンポーネントセット又はＣＤＭグループをもたらす。
【００６０】
図５及び図６から分かるように、１２サブキャリアを用いて、隣接するＲＥのペアは、３つの周波数分割多重（ＦＤＭ）グループにグループ化される。したがって、６つのコンポーネントセットは、３つのＦＤＭグループに２つのＦＤ−ＯＣＣ（｛１，１｝及び｛１，−１｝の両方）がそれぞれ適用されることからもたらされる。１シンボルＤＭＲＳの場合（図５）、結果として生じる６つのそれぞれのコンポーネントセットは、最大６つの直交ＤＭＲＳポートに割当てられてよい。２シンボルＤＭＲＳの場合、これらの６つのコンポーネントセットを、２つのＴＤ−ＯＣＣと更に組み合わせることができ、これは、最大１２個の直交ＤＭＲＳポートをサポートする能力をもたらす（図６）。
【００６１】
図３〜図６を参照して上述したように、ｃｏｍｂ、巡回シフト、ＦＤ−ＯＣＣ、ＦＤＭ、及びＴＤ−ＯＣＣは、参照信号（特に前方ＤＭＲＳ）のためのリソースコンポーネントを構成する。
【００６２】
これらのリソースコンポーネントは、第１の前方ＤＭＲＳ設定又は第２の前方ＤＭＲＳ設定に従って組み合わせられ、結果として生じるコンポーネントセット又はＣＤＭグループは、直交ＤＭＲＳポートにそれぞれ割当てられる。しかしながら、より低いランクであっても、２シンボルＤＭＲＳの使用が可能であるべきである。１シンボルＤＭＲＳの場合における又は２シンボルＤＭＲＳの場合における特定の設定によってサポートされる全てのコンポーネントセット又はＣＤＭグループが、ポートの割当てに使用される必要はない。特に、２シンボルの場合、｛１，１｝及び｛１，−１｝の両方を使用せずに、最大６つのＤＭＲＳポートをスケジューリングすることができるはずである。
【００６３】
ユーザ機器（ＵＥ）の観点からは、周波数領域符号分割多重（ＣＤＭ）によって多重されるＤＭＲＳポートは、疑似コロケートされる（quasi co-located）。
【００６４】
ＵＬ及びＤＬについてＵＥを対象とした前方ＤＭＲＳ設定タイプが異なってもよいかどうかは、更なる検討事項として依然として残されている。更に、上記の合意事項に伴う著しい複雑さ／性能の問題が存在する場合、ダウンセレクションがなお議論されてもよい。
【００６５】
３ＧＰＰ  ＮＲでは、ＬＴＥのレイヤ−ポートマッピングに対する制限は、もはや受け入れられない。特に、３ＧＰＰ  ＮＲにおける新しいシステム設計の利点から恩恵を得るために非透過ＭＵ−ＭＩＭＯが求められている。
【００６６】
例えば、非透過ＭＵ−ＭＩＭＯのサポートを３ＧＰＰ  ＮＲに組み込むために、専用ビットフィールドを組み込んでいないＬＴＥのためにとられた決定を再検討することが可能であろう。しかしながら、ＭＵ−ＭＩＭＯのための専用ビットフィールドが存在するので、現在の検討事項の下でも、サポートは必要ない。
【００６７】
４つの主な参照信号は、復調用参照信号（ＤＭＲＳ）、位相トラッキング用参照信号（ＰＴＲＳ）、サウンディング参照信号（ＳＲＳ）、及びチャネル状態情報参照信号（ＣＳＩ−ＲＳ）である（例えば、参照により本明細書に組み込まれるＴＳ３８．１１１、第６．４．１節及び第７．４．１節を参照されたい）。
【００６８】
ＤＭＲＳは、復調のために無線チャネルを推定するのに使用される。ＤＭＲＳは、ＵＥ固有であり、ビームフォーミングされ、スケジューリングされたリソースに制限され、必要な場合にのみ、ＤＬ及びＵＬの両方において伝送されてよい。マルチレイヤＭＩＭＯ伝送をサポートするために、複数の直交ＤＭＲＳポートが、レイヤごとに１つ、スケジューリングされてよい。直交性は、ＦＤＭ（ｃｏｍｂ構成）及びＴＤＭ並びにＣＤＭ（ベース系列又は直交カバーコードの巡回シフトを伴う）によって達成される。ＤＭＲＳ設計は、低遅延アプリケーションをサポートするために早期復号要件を考慮に入れているので、基本的なＤＭＲＳパターンは、前方に配置される。低速シナリオでは、ＤＭＲＳは、時間領域における低密度を用いる。しかしながら、高速シナリオでは、無線チャネルの急速な変化をトラッキングするために、ＤＭＲＳの時間密度が増大される。
【００６９】
発振器位相雑音の補償を可能にするために、ＰＴＲＳがＮＲにおいて導入されている。典型的には、位相雑音は、発振器キャリア周波数に応じて増加する。したがって、ＰＴＲＳは、位相雑音を緩和するために、高いキャリア周波数（ｍｍＷａｖｅ等）で利用されてよい。ＯＦＤＭ信号において位相雑音によって生じる主な劣化のうちの１つは、共通位相誤差（ＣＰＥ）として知られる、全てのサブキャリアの同一位相回転である。ＣＰＥによってもたらされる位相回転は、ＯＦＤＭシンボル内の全てのサブキャリアに対して同一であるので、ＰＴＲＳは、周波数領域において密度が低くなり、時間領域において密度が高くなるように設計されるが、ＯＦＤＭシンボルにわたる位相雑音の相関は低い。ＰＴＲＳは、ＵＥ固有であり、スケジューリングされたリソースに制限され、ビームフォーミングされてよい。ＰＴＲＳポートの数は、ポートの総数よりも少なくてよく、ＰＴＲＳポート間の直交性は、ＦＤＭによって達成される。ＰＴＲＳは、発振器の品質、キャリア周波数、ＯＦＤＭサブキャリア間隔、及び、送信に用いられる変調・符号化方式に応じて設定可能である。
【００７０】
ＳＲＳは、主にスケジューリング及びリンク適応を目的としてＣＳＩ測定を実行するために、ＵＬにおいて送信される。ＮＲでは、ＳＲＳは、大規模ＭＩＭＯ及びＵＬビーム管理のためのレシプロシティベースのプリコーダ設計に利用されることが期待される。ＳＲＳは、異なる手順及びＵＥ能力をサポートするために、モジュール式でフレキシブルな設計を有する可能性がある。ＣＳＩ−ＲＳについてのアプローチは類似している。
【００７１】
アップリンクチャネルサウンディングを可能にするために、デバイスは、サウンディング参照信号（ＳＲＳ）を送信するよう構成されてよい。
【００７２】
ＵＬにおけるＳＲＳの機能は、ＤＬにおけるＣＳＩ−ＲＳの機能と類似していることが分かるが、ＳＲＳの構成は、ＣＳＩ−ＲＳとはかなり異なる。ＳＲＳは、最大４つのアンテナポートに制限されるが、ＣＳＩ−ＲＳは、最大３２個のアンテナポートをサポートする。基本的に、ＳＲＳは、高いデバイス電力増幅器効率を可能にする低いｃｕｂｉｃ  ｍｅｔｒｉｃを有するように設計される。一実施態様に従うと、ＳＲＳは、１個、２個、又は４個の連続するＯＦＤＭシンボルにわたり、スロットの最後の６シンボル内のどこかに配置される。周波数領域において、ＳＲＳは、Ｎ番目のサブキャリアごとに送信される。ここで、Ｎは、値２又は５をとることができる。詳細については、例えば、参照により本明細書に組み込まれるＴＳ３８．２１１、第６．４．１．４節を参照されたい。
【００７３】
（ＨＡＲＱ）
ＮＲ動作が動的グラントなしで設定される場合、一実施態様に従うと、アップリンクデータ送信（又はダウンリンクデータ受信）に使用することができるリソースが、デバイスに対して、例えば事前に、設定される。デバイスは、利用可能なデータを有すると、スケジューリング要求グラントサイクルを介さずに、アップリンク送信を直ちに開始することができ、これにより、より短い遅延を可能にする。
【００７４】
（例えば、ＮＲ動作が動的グラントなしで設定される場合において）データ受信の信頼性を高めるために、データが成功裏に受信されなかったというフィードバックがデバイスに送信される。このフィードバックは、受信データが成功裏に受信されず、再送が必要であると判定すると、通信されてよい。
【００７５】
無線システム５Ｇ−ＮＲにおいて再送を処理する１つの主要な態様は、ハイブリッド自動再送要求（ＨＡＲＱ）プロトコルである。
【００７６】
デバイスが復号動作の結果を基地局に報告する場合、増大した冗長性を伴うＨＡＲＱ再送が用いられる。誤って受信されたデータの場合、基地局は、データを再送することができ、デバイスは、複数の送信試行からのソフト情報を組み合わせる。しかしながら、この場合にトランスポートブロック全体を再送することは非効率的になる可能性がある。したがって、ＮＲは、コードブロックグループ（ＣＢＧ）として知られるより細かい粒度での再送をサポートする。
【００７７】
ＮＲにおけるＨＡＲＱの概念は、ＬＴＥ  ＨＡＲＱと同様であるが、詳細に関しては相違がある。ＬＴＥ  ＨＡＲＱでは、ダウンリンクにおいては、非同期メカニズムが使用されるが、アップリンクにおいては、同期メカニズムが使用される。一方、ＮＲでは、ダウンリンク及びアップリンクの両方において、非同期メカニズムが使用される。非同期ＨＡＲＱでは、複数のＨＡＲＱプロセスが、任意の順番で実行される。ＨＡＲＱプロセスが順番に実行されていない場合であっても、各ＨＡＲＱプロセスを追跡するために、ＨＡＲＱプロセスにおける送信側及び受信側は、ＨＡＲＱデータの各送信／受信についての正確なＨＡＲＱプロセス番号を認識している必要がある。このために、ＤＣＩは、ＨＡＲＱプロセス番号と呼ばれるフィールドを運ぶ。ＬＴＥでは、ダウンリンクスケジューリングのためのＤＣＩのみがこのフィールドを運び（ＬＴＥ  ＤＬにおいては、非同期ＨＡＲＱが使用されるので）、アップリンクスケジューリングのためのＤＣＩはこのフィールドを運ばない。しかしながら、ＮＲでは、ダウンリンクスケジューリングＤＣＩ（すなわち、ＤＣＩ  １＿０、１＿１）及びアップリンクスケジューリングＤＣＩ（すなわち、ＤＣＩ  ０＿０、０＿１）の両方は、非同期ＨＡＲＱを使用するので、ＨＡＲＱプロセス番号フィールドを運ぶ。
【００７８】
上述した再送は信頼性を高めるが、本発明者は、前述した接続においていくつかの問題を認識した。例えば、動的グラントがない場合、再送要求は、かなり遅く、すなわち、受信された信号を完全に処理した後に、行われる可能性がある。信号が成功裏に受信されなかったと判定される前には、再送の要求は存在しない。
【００７９】
更に、信号の損失は、システムの信頼性を低下させる可能性がある。例えば、信号がｇＮＢによって受信されない場合又は再送の要求がＵＥによって受信されない場合、システムの信頼性が損なわれる。この点において、肯定フィードバック（例えば、ＡＣＫ）が、再び信頼性を高める。しかしながら、これは、遅延の増加をもたらす可能性がある。
【００８０】
本発明者は、再送要求について、上述したシステムの高信頼性及び／又は上述したシステムにおける低遅延を容易にするメカニズムを定めるニーズを認識した。
【００８１】
以下において、このようなニーズを満たすＵＥ、基地局、及び手順が、５Ｇ移動通信システムについて想定される新しい無線アクセス技術に関連して説明される。様々な実施態様及び変形例も説明される。以下の開示は、上述した説明及び知見によって促進され、例えば、その少なくとも一部に基づき得る。
【００８２】
概して、本開示の基礎をなす原理を明確且つ理解できるように説明することが可能であるように、本明細書において、多くの仮定がなされていることに留意されたい。しかしながら、これらの仮定は、本開示の範囲を限定すべきではない例示の目的のために本明細書でなされている単なる例として理解されるべきである。当業者は、特許請求の範囲に記載されているような以下の開示の原理が、本明細書において明示的には記載されていない異なるシナリオに、本明細書において明示的には記載されていないやり方で適用されてもよいことを認識するであろう。
【００８３】
更に、次の３ＧＰＰ  ５Ｇ通信システムのための新しい無線アクセス技術のコンテキストにおいて使用される具体的な用語は、まだ完全に決定されていないとしても、以下において使用されている、手順、エンティティ、レイヤ等の用語のうちの一部は、ＬＴＥ／ＬＴＥ−Ａシステム又は３ＧＰＰ  ５Ｇの現在の標準化で使用されている用語に密接に関連している。したがって、用語は、実施形態の機能に影響を及ぼすことなく、将来変更される可能性がある。結果として、当業者は、実施形態及びその保護範囲が、より新しい用語又は最終的に合意される用語を欠くために、本明細書において例示的に使用されている特定の用語に限定されるべきではなく、本開示の機能及び原理の基礎をなす機能及び着想に関してより広く理解されるべきであることを認識するであろう。
【００８４】
例えば、移動局又は移動ノード又はユーザ端末又はユーザ機器（ＵＥ）は、通信ネットワーク内の物理エンティティ（物理ノード）である。１つのノードは、複数の機能エンティティを有することができる。機能エンティティは、予め定められた機能のセットを実施する、且つ／又は、同じノード若しくは別のノード又はネットワークの他の機能エンティティに予め定められた機能のセットを提供するソフトウェアモジュール又はハードウェアモジュールを指す。ノードは、そのノードを、ノードが通信できる通信設備又は媒体に接続する１つ以上のインタフェースを有するができる。同様に、ネットワークエンティティは、機能エンティティを、他の機能エンティティ又は対応するノードと通信できる通信設備又は媒体に接続する論理インタフェースを有することができる。
【００８５】
ここで、用語「基地局」又は「無線基地局」は、通信ネットワーク内の物理エンティティを指す。移動局と同様に、基地局は、複数の機能エンティティを有することができる。機能エンティティは、予め定められた機能のセットを実施する、且つ／又は、同じノード若しくは別のノード又はネットワークの他の機能エンティティに予め定められた機能のセットを提供するソフトウェアモジュール又はハードウェアモジュールを指す。物理エンティティは、スケジューリング及び設定のうちの１つ以上を含む、通信デバイスに対するいくつかの制御タスクを実行する。基地局の機能及び通信デバイスの機能は、単一のデバイス内に統合されてもよいことに留意されたい。例えば、移動端末は、他の端末のために基地局の機能も実装することができる。ＬＴＥにおいて使用されている用語はｅＮＢ(又はｅＮｏｄｅＢ）であるのに対し、５Ｇ  ＮＲにおいて現在使用されている用語はｇＮＢである。
【００８６】
図７は、ユーザ機器２１０（通信デバイスとも称される）と、（ここでは基地局（例えば、ｅＬＴＥ  ｅＮＢ（あるいは、ｎｇ−ｅＮＢと称される）又は５Ｇ  ＮＲにおけるｇＮＢ）内に位置すると例示的に想定される）スケジューリングデバイスと、の概括的で簡略化された例示的なブロック図を示している。ＵＥ及びｅＮＢ／ｇＮＢは、それぞれの送受信機を使用して、（無線）物理チャネルを介して互いと通信する。
【００８７】
通信デバイスは、送受信機及び処理回路を備えることができる。そして、送受信機は、受信機及び／又は送信機を含むことができる、且つ／又は、受信機及び／又は送信機として機能することができる。処理回路は、１つ以上のプロセッサ又は任意のＬＳＩ等の１つ以上のハードウェアであってよい。送受信機と処理回路との間には、入力／出力点（又は入力／出力ノード）が存在し、処理回路は、動作中、入力／出力点（又は入力／出力ノード）を介して、送受信機を制御することができる、すなわち、受信機及び／又は送信機を制御し、受信／送信データを交換することができる。送受信機は、送信機及び受信機として、１つ以上のアンテナ、増幅器、ＲＦ変調器／復調器等を含むＲＦ（無線周波数）フロントエンドを含むことができる。処理回路は、処理回路によって提供されるユーザデータ及び制御データを送信するように、且つ／又は、処理回路によって更に処理されるユーザデータ及び制御データを受信するように送受信機を制御すること等の制御タスクを実施することができる。処理回路はまた、比較、判定、決定、計算、測定等といった他のプロセスを実行することを担うことができる。送信機は、送信するプロセス及び送信するプロセスに関連する他のプロセスを実行することを担うことができる。受信機は、チャネルをモニタすること等、受信するプロセス及び受信するプロセスに関連する他のプロセスを実行することを担うことができる。
【００８８】
本ケースにおいて、その様々な実施態様及び変形例の以下の開示から明らかになるように、処理回路は、したがって、情報を比較することによって（例えば、信号を通信するために使用されるチャネルの品質に関するより古い情報とより新しい情報とを比較するによって）、伝送品質を推定するステップを少なくとも部分的に実行するよう例示的に構成されてよい。例えば、処理回路は、したがって、例えば、信号の伝送が十分に信頼できるものであったか否かを判定すること等を行って、チャネルの伝送品質を推定することができる。また、処理回路は、例えば、タイマを開始し、タイマを待機させ、タイマを停止し、タイマの満了を判定すること等を行って、タイマを動作させるステップを少なくとも部分的に実行することができる。処理回路が少なくとも部分的に実行できる別のタスクは、ＡＣＫ、ＮＡＣＫ等のフィードバック信号を評価して、信号又はデータパケットが受信側で成功裏に受信されたか否かを判定することである。
【００８９】
送信機は、信号及び／又はデータパケットを送信するステップを少なくとも部分的に実行できるよう構成されてよい。
【００９０】
以下において提供されるソリューションは、新しい５Ｇ  ＮＲ標準化に主に適用され、特に、動的グラントのないアップリンク送信に適用されるが、ＬＴＥにおけるＳＰＳ（セミパーシステントスケジューリング）等の他のシステムに適用されてもよい。更に、以下において、ソリューションは、例えばＲＲＣによって事前に提供されるアップリンクグラントを用いた、設定されたグラントのシナリオにおいて結果（フィードバック）を通信するコンテキストにおいて主に提示される。しかしながら、これは、主に、ソリューションの例示及び説明を容易にするためである。したがって、以下において説明されるソリューションは、設定されたグラントのシナリオにおいてのみ使用される必要はなく、ＬＴＥのセミパーシステントスケジューリング等のスケジューリングされたグラントなしの他のシナリオにおいて使用されてもよい。
【００９１】
上述した原理に従ったＵＥとｇＮＢとの間の１つの例示的な通信が、図８に示されている。図８に示されているように、ＵＥは、基地局に信号を送信する。例えば、信号は、少なくとも１つの参照信号及び／又はユーザデータ信号を含む。
【００９２】
図９に更に示されているように、上記の原理の例示的な実施態様に従ったＵＥ挙動のフロー図が示されており、ＵＥは、初期チャネル品質情報Ｉ０に基づいて、チャネルを介して基地局に信号を送信する。
【００９３】
図８及び図９に示されている初期チャネル品質情報Ｉ０は、チャネルの第１のチャネル品質を示す。チャネルのチャネル品質は、チャネルを介した通信がどれくらい良い／悪いか（例えば、どれくらい良く／悪く、チャネルを介して信号を伝送できるか）の情報に関する。例えば、悪いチャネル品質は、信号が失われる又は損なわれる可能性が高いことを示し、良いチャネル品質は、信号が成功裏に伝送される可能性が高いことを示す。
【００９４】
初期チャネル品質情報Ｉ０は、例えば、変調方式及び／又は符号化レート等の少なくとも１つの伝送パラメータによって表される。例えば、多数の変数に依存する変調・符号化方式（ＭＣＳ）値が、信頼できる信号伝送のための十分なマージンをもって伝送を可能にするために、使用されてよい。ＭＣＳ値を効率的に決定するために、初期チャネル品質情報は、ＭＣＳテーブルのインデックス値であってもよい。ＭＣＳインデックス値テーブルは、例えば、複数の空間ストリームのうちの少なくとも１つ、変調方式、及び符号化レートの可能な組み合わせを与える。例えば、ＭＣＳインデックス値は、テーブル形式にされ、ＵＥと基地局との間で共有される。一実施態様に従うと、例えば、アップリンクのための設定されたグラントを用いて、初期チャネル品質情報Ｉ０は、ＲＲＣレイヤによって提供される。更なる実施態様に従うと、例えば、アップリンク又はダウンリンクのための設定されたグラントを用いて、初期チャネル品質情報Ｉ０は、例えばＤＣＩ  ＰＤＣＣＨといったＬ１／Ｌ２シグナリングによって提供される。
【００９５】
信号は、初期チャネル品質情報Ｉ０に対応する変調方式及び符号化レートを適用することによって、初期チャネル品質情報Ｉ０に基づいて送信される。したがって、例えば、信号についてのデータ伝送のビットレート及びロバスト性は、チャネル品質に整合され得る。
【００９６】
図８及び図１１に更に示されているように、上記の原理の例示的な実施態様に従ったｇＮＢ挙動のフロー図が示されている。ｇＮＢは、信号の少なくとも一部分を受信する。例えば、ｇＮＢは、受信した信号に基づいて（例えば、送信された信号に含まれる少なくとも１つの参照信号に基づいて）、伝送品質情報Ｉ１を決定する。
【００９７】
図１２及び図１３は、信号を含む時間−周波数グリッドの例を示している。例えば、信号は、参照信号（ハッチングされた要素）及びデータ信号を含む。参照信号は、時間−周波数グリッド内の特定のリソースエレメントを占有する事前に定義された信号である。参照信号は、伝送品質情報Ｉ１を決定するために使用されてよい。
【００９８】
以下から明らかになるように、参照信号は、時間領域位置における異なるリソースエレメントを占有することができる。一実施態様に従うと、伝送品質情報Ｉ１は、参照信号のみを受信した後できるだけ早く決定され、更なるリソースエレメントの受信を待つ必要はない。別の実施態様に従うと、ｇＮＢは、信号全体を受信し、伝送品質情報Ｉ１を決定するために参照信号のみを処理することができる。
【００９９】
図１２及び図１３における例に示されているように、参照信号は、前方リソースエレメント、すなわち、シンボル１及び２の時間領域位置を占有する。図示されていないが、参照信号は、１又は２以外のシンボルの時間領域位置を占有することができる。
【０１００】
換言すれば、参照信号は、送信信号の最初のＮシンボルを占有することができる。ここで、Ｎは１以上の整数である。例えば、前方参照信号は、信号の最初のＮシンボル内に含まれる。例えば、図１２及び図１３に示されているように、前方参照信号は、送信信号の最初の２シンボル内に含まれる（すなわちＮ＝２）。
【０１０１】
代替的に、参照信号は、任意の前方リソースエレメントを占有してもよい。参照信号の前方設計は、受信機が早期チャネル推定を得ることを可能にし、これは、低遅延を達成するのに有用である。
【０１０２】
一実施態様に従うと、参照信号は復調用参照信号（ＤＭＲＳ）である。追加的に又は代替的に、更なる実施態様に従うと、前方サウンディング参照信号（ＳＲＳ）が、チャネル状態推定に使用されてもよい。例えば、新しいＳＲＳは、例えば、シンボル１及び／又は２の時間領域位置を占有する、前方参照信号であってもよい。
【０１０３】
追加的に又は代替的に、例えば図１３に示されているように、参照信号は、最初のＮシンボルの一部分を占有してもよく、最初のＮシンボルの残りの部分は、データを含んでもよい。
【０１０４】
図８及び図１１に更に示されているように、ｇＮＢは、信号の少なくとも一部分を受信すると、伝送品質情報Ｉ１を決定する。一実施態様に従うと、信号の受信された一部分は、受信される信号の全長よりも短い。したがって、低遅延を達成することができる。追加的に又は代替的に、送信された信号の受信された少なくとも一部分は、信号全体である。
【０１０５】
更に、ｇＮＢは、伝送品質情報Ｉ１を決定する。ここで、伝送品質情報Ｉ１は、信号を送信するために使用されたチャネルの第２のチャネル品質を示す。例えば、ｇＮＢは、上述した参照信号に基づいて伝送品質情報Ｉ１を決定する。第２のチャネル品質は、第１のチャネル品質と異なり得る。換言すれば、例えば、ＤＭＲＳ等の参照信号を含む信号は、信号の伝送中のチャネルのチャネル品質を測定するために使用される。
【０１０６】
換言すれば、伝送品質情報Ｉ１を決定することによって、最も直近のチャネル品質を決定することができる。したがって、信号の受信中に、チャネル品質の可能性のある劣化を判定することができる。更に、信号受信に成功したか否かの早期推定が可能である。
【０１０７】
例示的な一実施態様に従うと、伝送品質情報Ｉ１は、初期チャネル品質情報Ｉ０が第１のチャネル品質を表すのと同様に、第２のチャネル品質を表す。伝送品質情報Ｉ１は、例えば、変調方式及び／又は符号化レート等の少なくとも１つの伝送パラメータによって表される。例えば、多数の変数に依存する変調・符号化方式（ＭＣＳ）値が、信頼できる信号伝送のための十分なマージンをもって伝送を可能にするために、使用されてよい。ＭＣＳ値を効率的に決定するために、伝送品質情報は、ＭＣＳテーブルのインデックス値であってもよい。ＭＣＳインデックス値は、例えば、複数の空間ストリームのうちの少なくとも１つ、変調方式、及び符号化レートの可能な組み合わせを与える。例えば、ＭＣＳインデックス値は、テーブル形式にされ、ＵＥと基地局との間で共有される。
【０１０８】
追加的に又は代替的に、伝送品質情報Ｉ１は、チャネル品質指標（ＣＱＩ）によって表される。例えば、チャネル品質指標は、ＭＣＳの値及び／又はＭＣＳのインデックス値にマッピングされてもよい。
【０１０９】
図１１に示されているように、伝送品質情報Ｉ１は、受信された信号の処理中に決定される。例えば、ｇＮＢは、信号全体を完全に処理する前に、伝送品質情報Ｉ１を決定する。換言すれば、ｇＮＢは、受信した信号の処理の終了の前に、伝送品質情報Ｉ１を決定する。処理の終了は、例えば、信号が成功裏に受信されたかどうか、又は、信号の少なくとも一部分の再送が必要であるかどうか、を判定することを含むことができる。更に、ｇＮＢは、信号全体を受信する前に、伝送品質情報Ｉ１を決定してもよい。例えば、ｇＮＢは、Ｎ個の前方参照シンボルのみを受信すると（Ｎは１以上の整数）、伝送品質情報Ｉ１を決定してもよい。
【０１１０】
図８、図９、及び図１１に更に示されているように、伝送品質情報Ｉ１は、ｇＮＢからＵＥに送信される。例えば、ｇＮＢが、信号全体に基づいて伝送品質情報Ｉ１を決定すると、ｇＮＢは、伝送品質情報Ｉ１をＵＥに送信する。したがって、伝送品質情報Ｉ１を送信するタイミングは、ｇＮＢが伝送品質情報Ｉ１をどのように決定するかに関する実際の実装に依存する。
【０１１１】
例えば、伝送品質情報Ｉ１は、参照信号のみを含む、信号の一部分を受信し（図１２参照）、参照信号のみを処理した後、即座にできるだけ早く送信されてよい。換言すれば、前方参照信号のみが、伝送品質情報Ｉ１を決定するために受信されて処理される。
【０１１２】
代替的に、伝送品質情報Ｉ１は、参照信号及びデータ信号を含む信号の一部分のみを受信し（図１３参照）、信号の一部分のみを処理した後、即座にできるだけ早く送信されてもよい。換言すれば、前方信号のみが、伝送品質情報Ｉ１を決定するために受信されて処理される。
【０１１３】
代替的に、伝送品質情報Ｉ１は、信号全体を受信した後、即座にできるだけ早く送信されてもよい。換言すれば、信号全体が受信されるが、前方信号のみが、伝送品質情報Ｉ１を決定するために処理されてもよい。
【０１１４】
図９に更に示されているように、伝送品質情報Ｉ１は、ＵＥによって受信される。ＵＥは、前に送信した信号に関連する伝送品質情報Ｉ１を受信すると、伝送品質情報Ｉ１と初期チャネル品質情報Ｉ０とに基づいて、前に送信した信号の伝送品質を推定する。例えば、伝送品質は、伝送品質情報Ｉ１と初期チャネル品質情報Ｉ０とを比較することによって、推定される。換言すれば、ＵＥは、第１のチャネル品質に関連する値と第２のチャネル品質に関連する値とを比較することができる。例えば、ＵＥは、信号の送信が成功するにはチャネル品質が悪すぎたと推定することができる。換言すれば、第１のチャネル品質は、チャネルを介して信号を送信するための予測値であってよく、第２のチャネル品質は、チャネルを介して信号を通信することで決定された測定値であってよい。その結果、第２のチャネル品質を示す伝送品質情報Ｉ１に基づいて、信号がｇＮＢによって成功裏に受信されたか否かの仮定及び／又は予測がなされ得る。
【０１１５】
初期チャネル品質情報Ｉ０は、チャネルの第１のチャネル品質を示し、伝送品質情報Ｉ１は、同じチャネルの第２のチャネル品質を示す。一実施態様に従うと、初期チャネル品質情報Ｉ０及び伝送品質情報Ｉ１の両方は、同様のタイプであってよく、これらは容易に比較可能である。例えば、両方の値は、ＭＣＳのインデックス値であってよい。
【０１１６】
代替的に、伝送品質情報Ｉ１は、チャネル品質情報Ｉ０とは異なるタイプであってもよい。例えば、伝送品質情報Ｉ１は、例えばＭＣＳのインデックス値といった、初期チャネル品質情報Ｉ０と同じタイプのパラメータにマッピングされるＣＱＩであってもよい。
【０１１７】
図９に示されているように、ＵＥは、チャネルを介した信号の送信が成功したか否かを推定する。例えば、伝送品質は、チャネルを介した信号の送信がどれだけ信頼性があったかを示す。伝送品質を推定することは、例えば、チャネルを介した基地局への信号の送信がどれだけ信頼性があったかの尤度を判定することを含むことができる。推定は、初期チャネル品質情報Ｉ０と伝送品質情報Ｉ１との差又は比を決定することを含むことができる比較を含むことができる。
【０１１８】
成功の推定は、例えば、任意の数学演算に基づき得る。演算は、比又は差を決定する（求める）こと等の二項演算を含むことができる。追加的に又は代替的に、伝送品質情報Ｉ１は、初期チャネル品質情報Ｉ０で畳み込まれてもよい。例えば、伝送品質は、信号送信が成功したか否かがどれくらいの尤度で推定されるかに基づく尤度であってもよい。例えば、ＵＥは、信号送信が十分に信頼できるものであったか否かを判定することによって、送信の成功を推定する。
【０１１９】
一実施態様に従うと、ＵＥは、閾値を使用して伝送品質を推定することによって、送信が成功したか否かを推定する。例えば、伝送品質が閾値と比較される。閾値は、ＵＥに事前に記憶されている所定の値又は決定された値であってもよい。一実施態様に従うと、推定された伝送品質が、信号送信が成功しなかったことを示す場合、ＵＥは、信号の送信について否定的な結果を推定する。一実施態様に従うと、推定された伝送品質が、信号送信が成功したことを示す場合、ＵＥは、信号の送信について肯定的な結果を推定する。換言すれば、結果を決定することによって、信号が成功裏に送信されたか否かに関するフィードバック（ＡＣＫ／ＮＡＣＫ）が推定される。
【０１２０】
図１０は、上述したソリューションに従った簡略化された例示的なＵＥ構成を示している。図１０に示されているＵＥの様々な構成要素は、例えば、制御データ及びユーザデータ並びに他の信号を交換するために、互いとの間で、例えば、対応する入力／出力ノード（図示せず）と、相互接続されてよい。例示のために図示されていないが、ＵＥは、更なる構成要素を含むことができる。
【０１２１】
図１０から明らかなように、ＵＥは、初期チャネル品質情報に基づいて信号を送信する信号送信部を含む。ＵＥは、伝送品質情報を受信する伝送品質情報受信部を更に含む。ＵＥはまた、初期チャネル品質情報Ｉ０と伝送品質情報受信部によって受信された伝送品質情報Ｉ１とに基づいて伝送品質を推定する回路（図１０における伝送品質推定回路）を含む。
【０１２２】
上述した原理に従ったＵＥとｇＮＢとの間のより詳細な１つの例示的な通信が、図１４に示されている。図１４は、図８と同様にＵＥとｇＮＢとの間の通信を示している。以下において、図１４に導入された新しいステップが説明される。残りのステップについては、図８の上記説明を参照されたい。
【０１２３】
図１４に示されている実施態様は、再送ステップを更に含む。図示されているように、信号は、伝送品質を推定した後、すなわち、初期信号の送信の成功を推定することによって、通信される。追加的に又は代替的に、図１４に示されているように、ＵＥは、伝送品質の推定を行うと、信号を再送してもよい。
【０１２４】
一実施態様に従うと、信号再送は、伝送品質情報Ｉ１に基づく。すなわち、伝送パラメータ（変調方式及び符号化レート等）が、伝送品質情報Ｉ１に基づいて選択されてよい。代替的に、信号再送は、初期チャネル品質情報Ｉ０に基づいてもよい。すなわち、伝送パラメータ（変調方式及び符号化レート等）が、初期チャネル品質情報Ｉ０に基づいて選択されてもよい。
【０１２５】
追加的に又は代替的に、図１５に示されているように、ＵＥは、信号の繰り返しを実行してもよい。繰り返しは、例えば、信号のスケジューリングされた送信であってもよい。図１５に示されているように、ＵＥは、伝送品質情報を受信すると、伝送品質情報Ｉ１に基づいて信号繰り返しを実行することができる。追加的に又は代替的に、ＵＥは、伝送品質を推定すると、伝送品質情報Ｉ１に基づいて信号繰り返しを実行してもよい。信号再送について上述したように、信号繰り返しは、代替的に、初期チャネル品質情報Ｉ０に基づいてもよい。異なって説明されない限り、信号再送について説明された例示的な実施態様又は変形例は、信号の繰り返しに対しても適用可能である。信号再送は、信号の少なくとも一部分に基づき得る。
【０１２６】
一実施態様に従うと、信号が、伝送品質情報Ｉ１に基づく伝送パラメータを使用して再送されるものと仮定すると、ＵＥは、まず、伝送品質情報Ｉ１に基づいてＭＣＳ値を更新することができる。例えば、伝送品質情報Ｉ１は、ＭＣＳのインデックス値であり、信号を再送するためにＵＥによって使用されてよい。追加的に又は代替的に、ＭＣＳは、伝送品質情報Ｉ１に基づいて更新されてもよい。
【０１２７】
更なる変形例が、図１６に示されている。図１６は、例示的な実施態様に従ったＵＥ挙動のより詳細な例示的なフロー図である。図１６は、図９と同様にＵＥ挙動を示している。以下において、図１６に導入された新しいステップが説明される。残りのステップについては、図９の上記説明を参照されたい。
【０１２８】
図９を参照して上述した実施態様に加えて、図１６の例示的なシナリオは、判定ステップを含む。図１６の他のステップは、図９と同様であり、図９の上記説明を参照されたい。ＵＥは、判定ステップにおける判定に基づいて、信号の少なくとも一部分の再送を含むことができる、信号の再送を実行することができる。
【０１２９】
代替的に、ＵＥは、伝送品質情報Ｉ１を受信すると、推定された伝送品質及び／又は初期チャネル品質情報に基づいて、信号を再送してもよい。次いで、ＵＥは、伝送品質を推定することができる。これは、遅延の点で有利であり得る。
【０１３０】
判定ステップの判定は、伝送品質の推定の結果に基づく。具体的には、推定は、初期チャネル品質情報及び伝送品質情報に基づく。追加的に又は代替的に、判定ステップは、信号を送信する信頼性に基づいてもよい。例えば、パラメータが信頼性に影響を及ぼす場合、これは、信号が成功裏に送信されるか否かにも影響を及ぼし得る。例えば、そのような追加のパラメータが、判定ステップにおいて考慮されてもよい。例えば、信号を成功裏に受信する信頼性は、信号を送信するために使用された初期チャネル品質情報に依存し得る。
【０１３１】
代替的に、ＵＥは、伝送品質を推定すると、推定された伝送品質に基づいて信号を再送信してもよい。例えば、ＵＥは、初期チャネル品質に基づいて又は伝送品質情報に基づいて、信号を再送する。
【０１３２】
判定ステップにおいてＮｏの場合、図１６に示されているように、ＵＥは、例えば、前の信号の送信の成功についての結果が否定的であり、したがって、信号送信が成功しなかったことを示す推定された否定フィードバックであると推定することができる。追加的に又は代替的に、ＵＥは、例えば、図１４を参照して上述したように、信号の更なる再送及び／又は繰り返しのために、ＭＣＳを更新してもよい。例えば、ＵＥは、信号の再送及び／又は繰り返しのために、ＭＣＳのインデックス値を更新してもよい。
【０１３３】
判定ステップにおいてＹｅｓの場合、ＵＥは、前の信号の送信の成功についての結果が肯定的であり、したがって、信号送信が成功したことを示す肯定フィードバックであると推定することができる。
【０１３４】
オプションとして、ＵＥは、リソースを解放してもよい。例えば、ＵＥは、ストレージ（例えば、再送バッファ）から、信号及び／又は信号に関連し得るデータを削除してもよい。
【０１３５】
オプションとして、ＵＥは、送信された信号に関連付けられている再送タイマを停止してもよい。一変形例に従うと、再送タイマは、初期チャネル品質情報に基づいて信号を送信するときに開始する（図１６には示されていない）。再送タイマが動作している間、ＵＥは、信号を再送することができる。スケジューリングされた送信（例えば、繰り返し）がキャンセル又は中止され得るので、再送タイマを停止することは、データトラフィックを低減することを容易にすることができる。
【０１３６】
上述した原理に従ったＵＥとｇＮＢとの間のより詳細な１つの例示的な通信が、図１７に示されている。図１７は、図１４と同様にＵＥとｇＮＢとの間の通信を示している。以下において、図１７に導入された新しいステップが説明される。残りのステップについては、図１４の上記説明を参照されたい。
【０１３７】
この実施態様に従うと、ｇＮＢは、（再送要求の形の）明示的ＮＡＣＫをＵＥに送信する。ｇＮＢは、信号が正しく受信されなかったと判定し、例えば、信号の再送を要求することによって、判定の結果をＵＥに伝達すると仮定する。
【０１３８】
ｇＮＢについての更なる実施態様が、図１８に示されている。図１８は、ｇＮＢ挙動のより詳細な例示的なフロー図である。図１８は、図１１と同様にｇＮＢ挙動を示している。以下において、図１８に導入された新しいステップが説明される。残りのステップについては、図１１の上記説明を参照されたい。
【０１３９】
この実施態様に従うと、ｇＮＢは、信号の受信が成功したか否かを判定する。例えば、ｇＮＢは、信号の少なくとも一部分が損なわれている又は信号の少なくとも一部分を成功裏に受信できなかったと判定する。あるいは、ｇＮＢは、信号の受信が成功したと判定する。
【０１４０】
一実施態様に従うと、ｇＮＢは、信号の少なくとも一部分を処理した後及び／又は信号全体を処理した後、信号受信が成功したかどうかを判定する。
【０１４１】
ｇＮＢは、信号の少なくとも一部分が成功裏に受信されなかったと判定すると、信号の少なくとも一部分の再送を要求する。このようなプロセスは、遅延の点で有利であり得る。
【０１４２】
別の実施態様に従うと、ｇＮＢは、再送用のタイマが満了するまで、再送の要求をＵＥに送信することを遅らせることができる。この実施態様に従うと、ｇＮＢは、ＵＥから信号の少なくとも一部分を受信すると、再送タイマを開始することができる。タイマは、待機タイマであってよい。例えば、タイマの持続時間は、ＲＲＣによって設定されてよい。例えば、ＵＥが、伝送品質情報を受信すると信号を自動的に再送する、且つ／又は、ＵＥが、前にスケジューリングされたデータ再送（例えば、データ繰り返し）を実行する場合、ｇＮＢは、信号の少なくとも一部分の再送を自動的に受信することができる。このようなプロセスは、交換されるデータ量及び遅延の点で有利であり得る。
【０１４３】
一実施態様に従うと、再送の要求は、チャネルを介した信号の再送のための無線リソースのグラントを含むことができる。換言すれば、動的グラントが使用されてよい。追加の例示的な要素として、再送のためのグラントは、第３のチャネル品質情報を示すことができる。追加的に又は代替的に、再送の要求は、動的グラントを伴わない送信の有効化のための制御シグナリング（例えば、Ｌ１／Ｌ２制御シグナリング）であってもよい。
【０１４４】
ｇＮＢが、信号が成功裏に受信されたと判定すると、ｇＮＢは、データのために生成されたＨＡＲＱプロセスを実行することができる。
【０１４５】
図１７の実施態様に更に示されているように、ＵＥは、再送の要求を受信する。したがって、ＵＥは、例えば、信号の送信について否定的な結果を決定することができる。換言すれば、ＵＥは、否定フィードバック（ＮＡＣＫ）を決定する。決定された否定的な結果及び否定フィードバックの両方は、前の信号送信が成功しなかったことを示すことができる。
【０１４６】
一実施態様に従うと、ＵＥは、否定的な結果を決定すると、信号を再送することができる。この実施態様は、ＵＥが、信号送信の推定された成功、すなわち、伝送品質情報を受信すると決定され得る推定された結果に基づいて、信号を準備できることを容易にする。加えて、この実施態様は、ＵＥが、伝送品質情報に基づいて信号を送信することを容易にし、これは、最近測定されたチャネル品質、すなわち、例えば、前方参照信号を使用してｇＮＢによって測定された第２のチャネル品質に鑑みて有利であり得る。このように、再送の要求を受信する際には、信号の送信の準備がすでになされており、これは、遅延の点で有利である。更に、再送要求を受信したときにのみ信号を再送することは、データトラフィックを低減させる。
【０１４７】
再送の要求を伴うこの例示的な実施態様は、例えば、図１９に示されている。図１９は、例示的な実施態様に従ったＵＥ挙動のより詳細な例示的なフロー図である。図１９は、図１６と同様にＵＥ挙動を示している。以下において、図１９に導入された新しいステップが説明される。残りのステップについては、図１６の上記説明を参照されたい。
【０１４８】
一実施態様に従うと、ＵＥは、再送の要求を受信すると、前の信号の送信について否定的な結果を決定する（「再送の要求が受信されたか？」のＹｅｓの後）。図１６と同様に、ＵＥは、送信が成功しなかったと推定すると、繰り返しに使用されるＭＣＳを更新する（「推定：送信は成功したか？」のＮｏの後）。例えば、ＵＥは、否定的な結果を推定すると、例えば、再送のために信号を準備することができる。ＵＥは、再送の要求を受信すると、信号を再送することができる。上述したように、これは、遅延を低減し、更に、通信データ量を低減することができる。更なる詳細については、特にＵＥがテーブルをどのように更新するかについては、図１６の上記説明を参照されたい。
【０１４９】
一実施態様に従うと、ＵＥは、再送タイマを開始する。例えば、図１９、図２０、及び図２１に示されているように、再送タイマは、初期信号、すなわち、初期チャネル品質に基づく信号の送信のために、開始されてよい。図２０及び図２１は、再送タイマを伴う実施態様について、ＵＥとｇＮＢとの間の通信を示している。図２０及び図２１は、図８と同様にＵＥとｇＮＢとの間の通信を示している。以下において、図２０及び図２１に導入された新しいステップが説明される。残りのステップについては、図８の上記説明を参照されたい。
【０１５０】
図２０及び図２１に示されているように、再送タイマは、信号がＵＥからｇＮＢに送信されるときに開始される。
【０１５１】
図２０に示されているように、送信タイマが動作している間、ＵＥは、ｇＮＢから伝送品質情報を受信する。しかしながら、タイマが動作している間、ＵＥは、例えば、図１７に示されているように、再送の要求を受信しない。したがって、タイマが満了すると、ＵＥは、信号送信について肯定的な結果を決定することができる。換言すれば、ＵＥは、（受信された伝送品質情報と組み合わせて）再送タイマの満了に基づいて、信号送信の成功を示す肯定フィードバックを決定する。
【０１５２】
対応して図１９に示されているように、ＵＥは、例えば、再送タイマが満了したか又は動作しているかをチェックすることができる。再送タイマが満了した（再送タイマが動作していない）場合、ＵＥは、前の信号送信の伝送について肯定的な結果を決定することができる。オプションとして、ＵＥは、すでに前述しているようにリソースを解放してもよい。
【０１５３】
再送タイマがまだ動作している場合、ＵＥは、上述した再送の要求を受信するためにダウンリンクチャネルをモニタすることができる。
【０１５４】
図２１に示されているように、ＵＥは、再送タイマが動作している間、伝送品質情報又は再送要求を受信できない場合がある。２つの考えられるシナリオがこれを引き起こすことがある。第１のシナリオに従うと、ｇＮＢは、ＵＥから信号を受信せず、したがって、ｇＮＢは、伝送品質情報をＵＥに送信しない。第２のシナリオに従うと、ｇＮＢは、ＵＥから信号を受信し、伝送品質情報を送信するが、ＵＥは、ｇＮＢから伝送品質情報を受信しない。いずれのシナリオにおいても、再送タイマは、ＵＥが伝送品質情報を受信する前に満了する。タイマが満了すると、ＵＥは、信号送信について否定的な結果を決定することができ、ＵＥは、信号をｇＮＢに再送することができる。例えば、ＵＥは、信号がｇＮＢによって成功裏に受信されるという信頼性を高める変調・符号化方式を用いて、新しいチャネル品質情報Ｉ２に基づいて信号を再送することができる。
【０１５５】
（更なる態様）
第１の態様に従うと、チャネルを介して基地局に信号を送信する送信機であって、前記信号は、前記チャネルの第１のチャネル品質を示す初期チャネル品質情報に基づいて送信される、送信機を備えるユーザ機器（ＵＥ）が提供される。前記ＵＥは、前記信号を送信するために使用された前記チャネルの第２のチャネル品質を示す伝送品質情報を受信する受信機を備える。前記ＵＥは、前記初期チャネル品質情報と前記伝送品質情報とに基づいて伝送品質を推定する処理回路であって、前記伝送品質は、前記チャネルを介した前記信号の送信が成功したか否かを示す、処理回路を備える。
【０１５６】
第１の態様に加えて提供される第２の態様に従うと、前記伝送品質情報は、送信された前記信号の少なくとも一部分を受信すると前記基地局によって決定される。オプションの一実施態様において、送信された前記信号の受信された前記少なくとも一部分は、前記信号全体よりも短い。
【０１５７】
第１の態様又は第２の態様に加えて提供される第３の態様に従うと、前記伝送品質情報は、参照信号に基づいて前記基地局によって決定される。オプションの一実施態様において、前記参照信号は、送信された前記信号の最初のＮシンボル内に含まれる前方参照信号であり、Ｎは１以上の整数である。オプションの一実施態様において、送信された前記信号の最初のＮシンボルは、少なくとも１つの前方参照信号及び少なくとも１つのデータ信号を含む。オプションの一実施態様において、送信された前記信号の最初のＮシンボルは、前方参照信号のみを含む。オプションの一実施態様において、前記伝送品質情報は、送信された前記信号の一部分のみに基づいて前記基地局によって決定される。オプションの一実施態様において、前記伝送品質情報は、少なくとも１つの前方参照信号のみに基づいて前記基地局によって決定される。
【０１５８】
第１の態様〜第３の態様のうちのいずれかに加えて提供される第４の態様に従うと、前記処理回路は、動作中、前記伝送品質を使用して、閾値に基づいて前記送信が成功したか否かを推定する。オプションの一実施態様において、推定された前記伝送品質が、前記信号の送信が成功しなかったことを示す場合、前記処理回路は、動作中、前記信号の送信について否定的な結果を決定する。オプションの一実施態様において、推定された前記伝送品質が、前記信号の送信が成功したことを示す場合、前記処理回路は、動作中、前記信号の送信について肯定的な結果を決定する。
【０１５９】
第１の態様〜第４の態様のうちのいずれかに加えて提供される第５の態様に従うと、前記処理回路が、前記チャネルを介した前記信号の送信が成功しなかったと推定した後、前記送信機は、動作中、前記伝送品質情報に基づいて信号送信を実行する。オプションの一実施態様において、前記伝送品質情報を受信すると、前記送信機は、動作中、前記信号の再送を実行する。オプションの一実施態様において、前記伝送品質情報を受信すると、前記送信機は、動作中、前記信号の繰り返しを実行する。
【０１６０】
第１の態様〜第５の態様のうちのいずれかに加えて提供される第６の態様に従うと、前記受信機が、動作中、前記信号の少なくとも一部分を再送することを求める再送要求を受信した場合、前記処理回路は、動作中、前記信号の送信が成功しなかったと判定する。オプションの一実施態様において、送信された前記信号に関連付けられている再送タイマが満了すると、前記処理回路は、動作中、前記信号の送信が成功したと判定する。オプションの一実施態様において、前記基地局に前記信号を送信すると、前記処理回路は、動作中、前記再送タイマを開始する。
【０１６１】
第１の態様〜第６の態様のうちのいずれかに加えて提供される第７の態様に従うと、前記受信機は、動作中、前記チャネルを介した前記信号の再送のためのグラントを受信する。オプションの一実施態様において、前記グラントを受信すると、前記送信機は、動作中、前記信号の再送を実行する。オプションの一実施態様において、前記再送のためのグラントは、第３のチャネル品質情報を示す。オプションの一実施態様において、前記第３のチャネル品質情報を受信すると、前記送信機は、動作中、前記信号の再送を実行する。
【０１６２】
第１の態様〜第４の態様のうちのいずれかに加えて提供される第８の態様に従うと、前記処理回路が、前記チャネルを介した前記信号の送信が成功したと推定した場合、前記処理回路は、動作中、前記ユーザ機器の送信バッファから前記信号を削除する。代替的に又は追加的に、前記処理回路は、動作中、前記信号の送信繰り返しを中止する。オプションの一実施態様において、前記処理回路は、動作中、送信された前記信号に関連付けられている再送タイマを停止する。
【０１６３】
第１の態様〜第８の態様のうちのいずれかに加えて提供される第９の態様に従うと、前記初期チャネル品質情報は、変調方式及び／又は符号レート等の少なくとも１つの伝送パラメータを示す。オプションの一実施態様において、前記初期チャネル品質情報は、変調・符号化方式（ＭＣＳ）のインデックスである。オプションの一実施態様において、前記伝送品質情報は、変調方式、符号レート、ＭＣＳのインデックス、及び／又はチャネル品質指標等の少なくとも１つの伝送パラメータを示す。オプションの一実施態様において、前記処理回路は、動作中、前記チャネル品質指標から前記ＭＣＳのインデックスを決定する。
【０１６４】
第１０の態様に従うと、サービング基地局が提供される。前記サービング基地局の受信機は、ユーザ機器からチャネルを介して信号の少なくとも一部分を受信する。前記信号は、前記チャネルの第１のチャネル品質を示す初期チャネル品質情報に基づいて送信される。前記サービング基地局の処理回路は、受信された前記信号の処理中に、前記信号を受信するために使用された前記チャネルの第２のチャネル品質を示す伝送品質情報を決定する。前記伝送品質情報を決定すると、前記サービング基地局の送信機は、前記伝送品質情報を送信する。
【０１６５】
第１０の態様に加えて提供される第１１の態様に従うと、前記サービング基地局は、参照信号に基づいて前記伝送品質情報を決定する。オプションの一実施態様において、前記参照信号は、受信された前記信号の最初のＮシンボル内に含まれる前方参照信号であり、Ｎは１以上の整数である。オプションの一実施態様において、送信された前記信号の最初のＮシンボルは、少なくとも１つの前方参照信号及び少なくとも１つのデータ信号を含む。オプションの一実施態様において、送信された前記信号の最初のＮシンボルは、前方参照信号のみを含む。オプションの一実施態様において、前記伝送品質情報は、受信された前記信号の一部分のみに基づいて決定される。オプションの一実施態様において、前記伝送品質情報は、少なくとも１つの前方参照信号のみによって決定される。
【０１６６】
第１０の態様又は第１１の態様に加えて提供される第１２の態様に従うと、再送タイマが満了すると、前記サービング基地局は、前記信号の再送又は繰り返しを対象として前記チャネルをモニタする。オプションの一実施態様において、前記信号の少なくとも一部分を受信すると、前記処理回路は、動作中、前記再送タイマを開始する。
【０１６７】
第１０の態様〜第１２の態様のうちのいずれかに加えて提供される第１３の態様に従うと、前記サービング基地局は、受信された前記信号を処理した後、前記チャネルを介した前記信号の受信が成功したか否かを判定する。オプションの一実施態様において、前記処理回路は、前記信号の受信が成功しなかったと判定した場合、前記信号の少なくとも一部分を求める再送要求を送信するように前記送信機を制御する。
【０１６８】
第１４の態様に従うと、ユーザ機器によって実行される次のステップを含む方法が提供される。信号が、チャネルを介して基地局に送信される。前記信号は、前記チャネルの第１のチャネル品質を示す初期チャネル品質情報に基づいて送信される。前記信号を送信するために使用された前記チャネルの第２のチャネル品質を示す伝送品質情報が受信される。伝送品質が、前記初期チャネル品質情報と前記伝送品質情報とに基づいて推定される。前記伝送品質は、前記チャネルを介した前記信号の送信が成功したか否かを示す。
【０１６９】
第１５の態様に従うと、基地局によって実行される次のステップを含む方法が提供される。信号の少なくとも一部分が、ユーザ機器からチャネルを介して受信される。前記信号は、前記チャネルの第１のチャネル品質を示す初期チャネル品質情報に基づいて送信される。受信された前記信号の処理中に、前記信号を受信するために使用された前記チャネルの第２のチャネル品質を示す伝送品質情報が決定される。前記伝送品質情報を決定すると、前記伝送品質情報が送信される。
【０１７０】
（本開示のハードウェア及びソフトウェアによる実現）
本開示は、ソフトウェアによって、ハードウェアによって、又はハードウェアと協働するソフトウェアによって、実現可能である。上述した各実施形態の説明において使用されている各機能ブロックは、その一部又は全てを、集積回路等のＬＳＩによって実現可能であり、各実施形態において説明された各プロセスは、その一部又は全てを、同じＬＳＩ又はＬＳＩの組み合わせによって制御可能である。ＬＳＩは、チップとして個別に形成可能である、又は、機能ブロックの一部又は全てを含むように１つのチップを形成することができる。ＬＳＩは、自身に結合されたデータ入出力部を含むことができる。ＬＳＩは、ここでは、集積度の違いに応じて、ＩＣ（集積回路）、システムＬＳＩ、スーパーＬＳＩ、又はウルトラＬＳＩと称されることがある。しかしながら、集積回路を実現する技術は、ＬＳＩに限定されるものではなく、専用回路、汎用プロセッサ、又は専用プロセッサを使用することによって実現可能である。更に、ＬＳＩの製造後にプログラムすることができるＦＰＧＡ（フィールドプログラマブルゲートアレイ）や、ＬＳＩ内部に配置されている回路セルの接続及び設定を再設定できるリコンフィギャラブル・プロセッサを使用することもできる。本開示は、デジタル処理又はアナログ処理として実現可能である。半導体技術又は別の派生技術の進歩の結果として、ＬＳＩが将来の集積回路技術に置き換わる場合、その将来の集積回路技術を使用して機能ブロックを集積化することができる。バイオテクノロジを適用することもできる。
【０１７１】
更に、様々な実施形態は、プロセッサによって実行される又はハードウェアで直接実行されるソフトウェアモジュールによって実現されてもよい。また、ソフトウェアモジュールとハードウェア実装とを組み合わせることもできる。ソフトウェアモジュールは、ＲＡＭ、ＥＰＲＯＭ、ＥＥＰＲＯＭ、フラッシュメモリ、レジスタ、ハードディスク、ＣＤ−ＲＯＭ、ＤＶＤ等のあらゆる種類のコンピュータ読み取り可能な記憶媒体に記憶することができる。更に、異なる実施形態の個々の特徴は、個別に又は任意の組み合わせで、別の実施形態の主題であり得ることに留意されたい。
【０１７２】
当業者であれば、具体的な実施形態に示されているような本開示に対して多数の変形及び／又は変更を行うことができることを理解するであろう。したがって、本実施形態は、あらゆる点で例示的であり、限定的ではないと考えられるべきである。
【図１】
2022501849.tif 000005
【図２】
2022501849.tif 000006
【図３】
2022501849.tif 000007
【図４】
2022501849.tif 000008
【図５】
2022501849.tif 000009
【図６】
2022501849.tif 000010
【図７】
2022501849.tif 000011
【図８】
2022501849.tif 000012
【図９】
2022501849.tif 000013
【図１０】
2022501849.tif 000014
【図１１】
2022501849.tif 000015
【図１２】
2022501849.tif 000016
【図１３】
2022501849.tif 000017
【図１４】
2022501849.tif 000018
【図１５】
2022501849.tif 000019
【図１６】
2022501849.tif 000020
【図１７】
2022501849.tif 000021
【図１８】
2022501849.tif 000022
【図１９】
2022501849.tif 000023
【図２０】
2022501849.tif 000024
【図２１】
2022501849.tif 000025
【国際調査報告】
2022501849.tif 000026
2022501849.tif 000027
2022501849.tif 000028